(57)【要約】【課題】鍋と外蓋と蒸気を生成する容器を誘導加熱する誘導加熱式炊飯器において、炊飯器の外形を大きくせず、外蓋と鍋側面と容器の加熱効率を下げずに、安価で蓋加熱コイルと側面加熱コイルと容器加熱コイルから発生する低周波領域の漏洩磁界を低減する。【解決手段】外蓋６を加熱する蓋加熱コイル８と、鍋２の側面を加熱する側面加熱コイル５と、炊飯器本体１内に設け蒸気を生成する水容器９を加熱する容器加熱コイル１１とに蓋胴容器インバータ回路より高周波電流を供給する。蓋加熱コイル８と側面加熱コイル５とを直列に接続し、かつ高周波電流の流れる方向が逆向きになるように接続し、さらに容器加熱コイル１１を蓋加熱コイル８と側面加熱コイル５との直列接続回路に並列に接続し、かつ側面加熱コイル５に流れる高周波電流と容器加熱コイル１１に流れる高周波電流の流れる方向が逆向きになるよう接続する。【選択図】図１
2007075323.tif 000002
【特許請求の範囲】
【請求項１】
炊飯器本体と、この炊飯器本体の内部に収納され米と水を入れる鍋と、この鍋を開閉自在に覆う外蓋と、この外蓋を加熱する蓋加熱コイルと、前記鍋の側面を加熱する側面加熱コイルと、前記炊飯器本体内に設け蒸気を生成する容器と、この容器を加熱する容器加熱コイルと、前記蓋加熱コイルと前記側面加熱コイルと前記容器加熱コイルとに高周波電流を供給するインバータ回路とを備え、前記蓋加熱コイルと前記側面加熱コイルとを直列に接続し、かつ前記蓋加熱コイルに流れる高周波電流と前記側面加熱コイルに流れる高周波電流の流れる方向が逆向きになるように接続し、さらに前記容器加熱コイルを前記蓋加熱コイルと前記側面加熱コイルとの直列接続回路に並列に接続し、かつ前記側面加熱コイルに流れる高周波電流と前記容器加熱コイルに流れる高周波電流の流れる方向が逆向きになるよう接続した誘導加熱式炊飯器。
【請求項２】
炊飯器本体と、この炊飯器本体の内部に収納され米と水を入れる鍋と、この鍋を開閉自在に覆う外蓋と、この外蓋を加熱する蓋加熱コイルと、前記鍋の側面を加熱する側面加熱コイルと、前記炊飯器本体内に設け蒸気を生成する容器と、この容器を加熱する容器加熱コイルと、前記蓋加熱コイルと前記側面加熱コイルと前記容器加熱コイルとに高周波電流を供給するインバータ回路とを備え、前記蓋加熱コイルと前記側面加熱コイルと前記容器加熱コイルとを並列に接続し、かつ前記蓋加熱コイルに流れる高周波電流と前記側面加熱コイルに流れる高周波電流の流れる方向が逆向きになるように接続し、さらに前記側面加熱コイルに流れる高周波電流と前記容器加熱コイルに流れる高周波電流の流れる方向が逆向きになるよう接続した誘導加熱式炊飯器。
【請求項３】
蓋加熱コイルの巻き中心部と側面加熱コイルの巻き中心部はコイル開口部方向から見て略同一に配置し、前記側面加熱コイルの開口部と容器加熱コイルの開口部はコイル開口部方向から見て交差もしくは包含しない配置とした請求項１または２記載の誘導加熱式炊飯器。
【発明の詳細な説明】
【技術分野】
【０００１】
本発明は、鍋と外蓋と蒸気を生成する容器を誘導加熱する誘導加熱式炊飯器に関するものである。
【背景技術】
【０００２】
従来、炊飯器は、炊飯終了時や保温時に、蓋部分や鍋の側面などに水分が結露し、その露がご飯に滴下して白化やべちゃつきとならないように、蓋を加熱する蓋加熱手段と鍋の側面部を加熱する側面加熱手段を有している（例えば、特許文献１参照）。
【０００３】
この蓋加熱手段と側面加熱手段を、加熱コイルから発生する磁界により外蓋や鍋の側面を誘導加熱する方式、すなわち、外蓋を誘導加熱する蓋加熱コイルと、鍋の側面を誘導加熱する側面加熱コイルと、この蓋加熱コイルと側面加熱コイルに高周波電流を供給するインバータ回路を備えることは公知である（例えば、特許文献２参照）。
【０００４】
また、鍋と、この鍋を加熱する鍋加熱手段と、鍋の開口部を覆う外蓋と、蒸気発生手段とを備え、蒸気発生手段は水タンクと水タンク加熱手段を有することは公知である（例えば、特許文献３参照）。
【０００５】
一方、このように誘導加熱により鍋や外蓋や水タンクを加熱する場合、加熱コイルから発生する漏洩磁界が人体には好ましくない影響があることを懸念する報告がされており、社会的にその関心が高まっている。
【０００６】
この漏洩磁界の中でも低周波領域の漏洩磁界を効果的に低減する方法として、加熱コイルを渦巻状に巻かれた加熱用コイル部と、この加熱用コイル部の外周側で直列に接続され、かつこの加熱コイルと逆向きに巻かれ、逆向きの電流を流す漏洩磁界キャンセル用コイル部とで構成することにより、外部へ漏洩する磁界を低減する方法が開示されている（例えば、特許文献４参照）。
【特許文献１】特公平８−１３２８９号公報
【特許文献２】特開平５−２６１０１９号公報
【特許文献３】特開２００３−１４４３１２号公報
【特許文献４】特開２００３−１４４３０８号公報
【発明の開示】
【発明が解決しようとする課題】
【０００７】
しかしながら、このような従来の構成では、外蓋を加熱する蓋加熱コイルと鍋側面を加熱する側面加熱コイルと容器（水タンク）を加熱する容器加熱コイルとから発生する漏洩磁界を低減するために、蓋加熱コイルと逆向きに巻かれ、逆向きの電流を流す漏洩磁界キャンセル用コイルを備え、また側面加熱コイルと逆向きに巻かれ、逆向きの電流を流す漏洩磁界キャンセル用コイルを備え、さらに容器加熱コイルと逆向きに巻かれ、逆向きの電流を流す漏洩磁界キャンセル用コイルを備える必要があった。
【０００８】
このとき、それぞれの加熱用コイルと漏洩磁界キャンセル用コイルとの距離が近接しすぎると、それぞれの加熱用コイルから発生する磁界が逆向きになるため、本来、外蓋や鍋の側面や容器を加熱する磁界をお互いに打ち消しあってしまう。したがって、漏洩磁界キャンセル用コイルは、外蓋や鍋側面や容器の加熱には寄与せず、逆に加熱効率を低下させるものとなる。
【０００９】
また、外蓋や鍋側面や容器を加熱する磁界を打ち消さないようにそれぞれの漏洩磁界キャンセル用コイルを配置するには、それぞれの加熱コイルからある程度の距離を確保する必要があり、炊飯器の外形が大きくなるという問題を有していた。
【００１０】
本発明は上記従来の課題を解決するもので、炊飯器の外形を大きくすることなく、また、外蓋と鍋側面と容器の加熱効率を下げずに、安価で効果的に蓋加熱コイルと側面加熱コイルと容器加熱コイルから発生する低周波領域の漏洩磁界を低減することを目的としている。
【課題を解決するための手段】
【００１１】
本発明は上記目的を達成するために、炊飯器本体の内部に米と水を入れる鍋を収納し、この鍋を外蓋により開閉自在に覆い、この外蓋を蓋加熱コイルにより加熱し、鍋の側面を側面加熱コイルにより加熱し、炊飯器本体内に設け蒸気を生成する容器を容器加熱コイルにより加熱し、これら蓋加熱コイル、側面加熱コイル、容器加熱コイルにインバータ回路より高周波電流を供給するよう構成し、蓋加熱コイルと側面加熱コイルとを直列に接続し、かつ蓋加熱コイルに流れる高周波電流と側面加熱コイルに流れる高周波電流の流れる方向が逆向きになるように接続し、さらに容器加熱コイルを蓋加熱コイルと側面加熱コイルとの直列接続回路に並列に接続し、かつ側面加熱コイルに流れる高周波電流と容器加熱コイルに流れる高周波電流の流れる方向が逆向きになるよう接続したものである。
【００１２】
これによって、隣接する加熱コイルから発生する低周波漏洩磁界が逆向きになっているため、お互いに低周波漏洩磁界を打ち消しあうようになり、炊飯器の外形を大きくすることなく、また、外蓋と鍋側面と容器の加熱効率を下げずに、安価で効果的に蓋加熱コイルと側面加熱コイルと容器加熱コイルから発生する低周波領域の漏洩磁界を低減することができる。
【発明の効果】
【００１３】
本発明の誘導加熱式炊飯器は、隣接する蓋加熱コイルと側面加熱コイルがそれぞれお互いの低周波漏洩磁界を打ち消しあい、また、側面加熱コイルと容器加熱コイルがそれぞれお互いの低周波漏洩磁界を打ち消しあうので、新たな漏洩磁界キャンセル用のコイルを必要とせず、外形を大きくすることなく、また、外蓋と鍋側面と容器の加熱効率を下げずに、低周波漏洩磁界を低減することができる。
【発明を実施するための最良の形態】
【００１４】
第１の発明は、炊飯器本体と、この炊飯器本体の内部に収納され米と水を入れる鍋と、この鍋を開閉自在に覆う外蓋と、この外蓋を加熱する蓋加熱コイルと、前記鍋の側面を加熱する側面加熱コイルと、前記炊飯器本体内に設け蒸気を生成する容器と、この容器を加熱する容器加熱コイルと、前記蓋加熱コイルと前記側面加熱コイルと前記容器加熱コイルとに高周波電流を供給するインバータ回路とを備え、前記蓋加熱コイルと前記側面加熱コイルとを直列に接続し、かつ前記蓋加熱コイルに流れる高周波電流と前記側面加熱コイルに流れる高周波電流の流れる方向が逆向きになるように接続し、さらに前記容器加熱コイルを前記蓋加熱コイルと前記側面加熱コイルとの直列接続回路に並列に接続し、かつ前記側面加熱コイルに流れる高周波電流と前記容器加熱コイルに流れる高周波電流の流れる方向が逆向きになるよう接続したものであり、隣接する蓋加熱コイルと側面加熱コイルから発生する低周波漏洩磁界が逆向きになっているため、それぞれお互いの低周波漏洩磁界を打ち消しあい、また、側面加熱コイルと容器加熱コイルから発生する低周波漏洩磁界が逆向きになっているため、それぞれお互いの低周波漏洩磁界を打ち消しあうようになり、蓋加熱コイルと側面加熱コイルと容器加熱コイルのそれぞれに漏洩磁界キャンセル用のコイルを必要とせず、外形を大きくすることなく、また、外蓋と鍋側面と容器の加熱効率を下げずに、低周波漏洩磁界を低減することができる。
【００１５】
第２の発明は、炊飯器本体と、この炊飯器本体の内部に収納され米と水を入れる鍋と、この鍋を開閉自在に覆う外蓋と、この外蓋を加熱する蓋加熱コイルと、前記鍋の側面を加熱する側面加熱コイルと、前記炊飯器本体内に設け蒸気を生成する容器と、この容器を加熱する容器加熱コイルと、前記蓋加熱コイルと前記側面加熱コイルと前記容器加熱コイルとに高周波電流を供給するインバータ回路とを備え、前記蓋加熱コイルと前記側面加熱コイルと前記容器加熱コイルとを並列に接続し、かつ前記蓋加熱コイルに流れる高周波電流と前記側面加熱コイルに流れる高周波電流の流れる方向が逆向きになるように接続し、さらに前記側面加熱コイルに流れる高周波電流と前記容器加熱コイルに流れる高周波電流の流れる方向が逆向きになるよう接続したものであり、隣接する蓋加熱コイルと側面加熱コイルから発生する低周波漏洩磁界が逆向きになっているため、それぞれお互いの低周波漏洩磁界を打ち消しあい、また、側面加熱コイルと容器加熱コイルから発生する低周波漏洩磁界が逆向きになっているため、それぞれお互いの低周波漏洩磁界を打ち消しあうようになり、蓋加熱コイルと側面加熱コイルと容器加熱コイルのそれぞれに漏洩磁界キャンセル用のコイルを必要とせず、外形を大きくすることなく、また、外蓋と鍋側面と容器の加熱効率を下げずに、低周波漏洩磁界を低減することができる。
【００１６】
第３の発明は、上記第１または第２の発明において、蓋加熱コイルの巻き中心部と側面加熱コイルの巻き中心部はコイル開口部方向から見て略同一に配置し、前記側面加熱コイルの開口部と容器加熱コイルの開口部はコイル開口部方向から見て交差もしくは包含しない配置としたものであり、コイルの巻き中心部がコイル開口部方向から見て略同一に配置された蓋加熱コイルと側面加熱コイルから発生する低周波漏洩磁界が逆向きになっているため、それぞれお互いの低周波漏洩磁界を打ち消しあい、また、コイル開口部方向から見て交差しないように配置された側面加熱コイルと容器加熱コイルから発生する低周波漏洩磁界が逆向きになっているため、それぞれお互いの低周波漏洩磁界を打ち消しあうようになり、蓋加熱コイルと側面加熱コイルと容器加熱コイルのそれぞれに漏洩磁界キャンセル用のコイルを必要とせず、外形を大きくすることなく、また、外蓋と鍋側面と容器の加熱効率を下げずに、低周波漏洩磁界を低減することができる。
【００１７】
以下、本発明の実施の形態について、図面を参照しながら説明する。なお、本実施の形態によって本発明が限定されるものではない。
【００１８】
（実施の形態１）
図１は、本発明の実施の形態１における誘導加熱式炊飯器の断面図を示すものであり、図２は、同誘導加熱式炊飯器の一部ブロック化した要部回路図を示すものである。
【００１９】
図１に示すように、炊飯器本体１は、内部に米と水を入れる鍋２を着脱自在に収納可能な鍋収納部３を設け、その鍋収納部３の外側には鍋２の底面部に対向するように渦巻状に巻かれた底加熱コイル４を配置しており、底加熱コイル４から発生する磁界により鍋２の底部分を誘導加熱するようにしている。さらに、鍋２の側面部に対向するように円筒状に巻かれた側面加熱コイル５を備えており、側面加熱コイル５から発生する磁界により鍋２の側面部分を誘導加熱するようにしている。
【００２０】
炊飯器本体１の上面開口部には、鍋２を開閉自在に覆う外蓋６を備えている。この外蓋６の鍋２に面する側には着脱自在な蓋加熱部７を取り付けており、外蓋６の内部には蓋加熱部７に対向するように渦巻状に巻かれた蓋加熱コイル８を備えており、蓋加熱コイル８の発生する磁界で蓋加熱部７を誘導加熱するようにしている。このとき、側面加熱コイル５と蓋加熱コイル８の位置関係は、炊飯器本体１の上部（コイルの開口部方向）から見た場合、蓋加熱コイル８の巻き中心部と側面加熱コイル５の巻き中心部はコイル開口部方向から見て略同一に配置している。
【００２１】
また、蒸気発生手段は、炊飯工程の中で鍋２内に蒸気を供給するもので、炊飯器本体１内に設けており、この蒸気発生手段は、着脱可能で略有底円筒形の容器である水容器９と、この水容器９を収納する水容器収納部１０と、容器加熱コイル１１を備えており、容器加熱コイル１１の発生する磁界で水容器９を誘導加熱して蒸気を発生させるようにしている。このとき、側面加熱コイル５と容器加熱コイル１１の位置関係は炊飯器本体１の上部（コイルの開口部方向）から見た場合、側面加熱コイル５の開口部と容器加熱コイル１１の開口部が交差もしくは包含されないように配置している。
【００２２】
また、炊飯器本体１の下方部には底加熱コイル４に高周波電流を供給する底インバータ回路１６（図２参照）や側面加熱コイル５と蓋加熱コイル８と容器加熱コイル１１に高周波電流を供給する蓋胴容器インバータ回路１７（図２参照）を搭載する加熱基板１２を配置している。さらに、外蓋６の内部には、底インバータ回路や蓋胴容器インバータ回路を制御する制御回路や炊飯器を操作する操作キーを搭載している制御基板１３を配置している。
【００２３】
つぎに、図２に示すように、炊飯器本体１を商用電源１４に接続すると、加熱基板１２上に搭載された全波整流器１５を介して底インバータ回路１６と蓋胴容器インバータ回路（インバータ回路）１７に直流電源が供給される。この底インバータ回路１６には底加熱コイル４を接続し、底加熱コイル４に高周波電流ＩＬ１を供給する。また、蓋胴容器インバータ回路１７には側面加熱コイル５と蓋加熱コイル８を直列に接続し、さらに容器加熱コイル１１を並列に接続し、胴容器インバータ回路１７は側面加熱コイル５と容器加熱コイル８に高周波電流ＩＬ２を供給し、容器加熱コイル１１に高周波電流ＩＬ３を供給する。
【００２４】
ここで、底加熱コイル４と側面加熱コイル５と蓋加熱コイル８と容器加熱コイル１１は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ２が右回りに流れるように巻かれており、蓋加熱コイル８には高周波電流ＩＬ２が左回りに流れるように巻かれており、容器加熱コイル１１には高周波電流ＩＬ３が左回りに流れるように巻かれている。
【００２５】
制御基板１３に搭載された制御回路１８は、加熱基板１２上の底インバータ回路１６と蓋胴容器インバータ回路１７の通電状態や発振周波数を制御する。
【００２６】
上記構成において動作、作用を説明する。鍋２と水容器９を炊飯器本体１の所定の位置にセットし操作キーを操作すると、制御回路１８は予め設定されている炊飯シーケンスに基づいて鍋２の底部分と側面部分と蓋加熱部７と水容器９を加熱するように底インバータ回路１６と蓋胴容器インバータ回路１７の動作を制御する。
【００２７】
制御回路１８は鍋２の側面部分と蓋加熱部７と水容器９を加熱制御する際、蓋胴容器インバータ回路１７に駆動信号を送り、蓋胴容器インバータ回路１７が高周波電流ＩＬ２を側面加熱コイル５と蓋加熱コイル８に供給し、高周波電流ＩＬ３を容器加熱コイル１１に供給する。
【００２８】
このとき、高周波電流ＩＬ２は側面加熱コイル５では炊飯器本体１の上部から見て右回りに流れ、蓋加熱コイル８では炊飯器本体１の上部から見て左回りに流れ、高周波電流ＩＬ３は容器加熱コイル１１を炊飯器本体１の上部から見て左回りに流れている。
【００２９】
すなわち、側面加熱コイル５と蓋加熱コイル８は同一電流を逆向きに流れていることになり、このとき、側面加熱コイル５と蓋加熱コイル８の位置関係は、炊飯器本体１の上部（コイルの開口部方向）から見た場合、蓋加熱コイル８の巻き中心部と側面加熱コイル５の巻き中心部はコイル開口部方向から見て略同一に配置しているので、側面加熱コイル５により発生する磁界と蓋加熱コイル８により発生する磁界は逆方向になるので、お互いに発生する磁界を打ち消しあって炊飯器本体１の外部に漏洩する漏洩磁界を低減することができる。
【００３０】
また、側面加熱コイル５に流れる電流ＩＬ２と容器加熱コイル１１に流れる電流ＩＬ３は逆向きに流れていることになり、このとき、側面加熱コイル５と容器加熱コイル１１の位置関係は炊飯器本体１の上部（コイルの開口部方向）から見た場合、側面加熱コイル５の開口部と容器加熱コイル１１の開口部が交差もしくは包含されないように配置しているので、側面加熱コイル５の発生する磁界と容器加熱コイル１１の発生する磁界は逆方向になるので、お互いに発生する磁界を打ち消しあって炊飯器本体１の外部に漏洩する漏洩磁界を低減することができる。
【００３１】
以上のように、本実施の形態においては、側面加熱コイル５と蓋加熱コイル８を直列に接続し、かつ高周波電流ＩＬ２を逆向きに流すように巻かれているので、それぞれお互いの低周波漏洩磁界を打ち消しあうことができ、さらに、側面加熱コイル５と容器加熱コイル１１を並列に接続し、かつ高周波電流ＩＬ２と高周波電流ＩＬ３が逆向きに流れるように巻かれているので、それぞれお互いの低周波漏洩磁界を打ち消しあうことができ、新たな漏洩磁界キャンセル用のコイルを必要としないので炊飯器本体１の外形を大きくする必要もなく、側面加熱コイル５と蓋加熱コイル８と容器加熱コイル１１から発生する低周波領域の漏洩磁界を低減することができる。
【００３２】
また、蓋加熱コイル８の巻き中心部と側面加熱コイル５の巻き中心部はコイル開口部方向から見て略同一に配置し、側面加熱コイル５の開口部と容器加熱コイル１１の開口部はコイル開口部方向から見て交差もしくは包含しない配置としたので、コイルの巻き中心部がコイル開口部方向から見て略同一に配置された蓋加熱コイル８と側面加熱コイル５から発生する低周波漏洩磁界が逆向きになっているため、それぞれお互いの低周波漏洩磁界を打ち消しあい、また、コイル開口部方向から見て交差しないように配置された側面加熱コイル５と容器加熱コイル１１から発生する低周波漏洩磁界が逆向きになっているため、それぞれお互いの低周波漏洩磁界を打ち消しあうようになり、蓋加熱コイル８と側面加熱コイル５と容器加熱コイル１１のそれぞれに漏洩磁界キャンセル用のコイルを必要とせず、外形を大きくすることなく、また、外蓋６と鍋２の側面と水容器９の加熱効率を下げずに、低周波漏洩磁界を低減することができる。
【００３３】
なお、本実施の形態では、側面加熱コイル５は高周波電流ＩＬ２が右回りに流れるように巻かれており、蓋加熱コイル８は高周波電流ＩＬ２が左回りに流れるように巻かれており、容器加熱コイル１１は高周波電流ＩＬ３が左回りに流れるように巻かれているが、まったく逆向きに高周波電流が流れるようにそれぞれの加熱コイルを逆向きに巻いてもよく、同様の作用、効果を得ることができる。
【００３４】
（実施の形態２）
図３は、本発明の実施の形態２における誘導加熱式炊飯器の一部ブロック化した要部回路図を示すものである。
【００３５】
図３に示すように、炊飯器本体１を商用電源１４に接続すると、加熱基板１２上に搭載された全波整流器１５を介して底インバータ回路１６と蓋胴容器インバータ回路１７に直流電源が供給される。この底インバータ回路１６には底加熱コイル４を接続し、底加熱コイル４に高周波電流ＩＬ１を供給する。また、蓋胴容器インバータ回路１７には側面加熱コイル５と蓋加熱コイル８と容器加熱コイル１１を並列に接続し、胴容器インバータ回路１７は側面加熱コイル５に高周波電流ＩＬ４を供給し、蓋加熱コイル８に高周波電流ＩＬ５を供給し、容器加熱コイル１１に高周波電流ＩＬ６を供給する。
【００３６】
ここで、底加熱コイル４と側面加熱コイル５と蓋加熱コイル８と容器加熱コイル１１は、炊飯器本体１を上部から見たときに巻かれている方向を表示している。すなわち、底加熱コイル４は、高周波電流ＩＬ１が右回りに流れるように巻かれている。また、側面加熱コイル５には高周波電流ＩＬ４が右回りに流れるように巻かれており、蓋加熱コイル８には高周波電流ＩＬ５が左回りに流れるように巻かれており、容器加熱コイル１１には高周波電流ＩＬ６が左回りに流れるように巻かれている。
【００３７】
制御基板１３に搭載された制御回路１８は、加熱基板１２上の底インバータ回路１６と蓋胴容器インバータ回路１７の通電状態や発振周波数を制御する。
【００３８】
上記構成において動作、作用を説明する。鍋２と水容器９を炊飯器本体１の所定の位置にセットし操作キーを操作すると、制御回路１８は予め設定されている炊飯シーケンスに基づいて鍋２の底部分と側面部分と蓋加熱部７と水容器９を加熱するように底インバータ回路１６と蓋胴容器インバータ回路１７の動作を制御する。
【００３９】
制御回路１８は鍋２の側面部分と蓋加熱部７と容器９を加熱制御する際、蓋胴容器インバータ回路１７に駆動信号を送り、蓋胴容器インバータ回路１７は側面加熱コイル５に高周波電流ＩＬ４を供給し、蓋加熱コイル８に高周波電流ＩＬ５を供給し、容器加熱コイル１１に高周波電流ＩＬ６を供給する。
【００４０】
このとき、高周波電流ＩＬ４は側面加熱コイル５を炊飯器本体１の上部から見て右回りに流れ、高周波電流ＩＬ５は蓋加熱コイル８を炊飯器本体１の上部から見て左回りに流れ、高周波電流ＩＬ６は容器加熱コイル１１を炊飯器本体１の上部から見て左回りに流れている。
【００４１】
すなわち、側面加熱コイル５に流れる電流ＩＬ４と蓋加熱コイル８に流れる電流ＩＬ５は逆向きに流れていることになり、側面加熱コイル５により発生する磁界と蓋加熱コイル８により発生する磁界は逆方向になるので、お互いに発生する磁界を打ち消しあって炊飯器本体１の外部に漏洩する漏洩磁界を低減することができる。また、側面加熱コイル５に流れる電流ＩＬ４と容器加熱コイル１１に流れる電流ＩＬ６は逆向きに流れていることになり、側面加熱コイル５により発生する磁界と容器加熱コイル１１により発生する磁界は逆方向になるので、お互いに発生する磁界を打ち消しあって炊飯器本体１の外部に漏洩する漏洩磁界を低減することができる。
【００４２】
以上のように、本実施の形態においては、側面加熱コイル５と蓋加熱コイル８を並列に接続し、かつ高周波電流ＩＬ４と高周波電流ＩＬ５を逆向きに流すように巻かれているので、それぞれお互いの低周波漏洩磁界を打ち消しあうことができ、さらに、側面加熱コイル５と容器加熱コイル１１を並列に接続し、かつ高周波電流ＩＬ４と高周波電流ＩＬ６が逆向きに流れるように巻かれているので、それぞれお互いの低周波漏洩磁界を打ち消しあうことができ、新たな漏洩磁界キャンセル用のコイルを必要としないので炊飯器本体１の外形を大きくする必要もなく、側面加熱コイル５と蓋加熱コイル８と容器加熱コイル１１から発生する低周波領域の漏洩磁界を低減することができる。
【００４３】
また、上記実施の形態１と同様に、蓋加熱コイル８の巻き中心部と側面加熱コイル５の巻き中心部はコイル開口部方向から見て略同一に配置し、側面加熱コイル５の開口部と容器加熱コイル１１の開口部はコイル開口部方向から見て交差もしくは包含しない配置とすることで、コイルの巻き中心部がコイル開口部方向から見て略同一に配置された蓋加熱コイル８と側面加熱コイル５から発生する低周波漏洩磁界が逆向きになっているため、それぞれお互いの低周波漏洩磁界を打ち消しあい、また、コイル開口部方向から見て交差しないように配置された側面加熱コイル５と容器加熱コイル１１から発生する低周波漏洩磁界が逆向きになっているため、それぞれお互いの低周波漏洩磁界を打ち消しあうようになり、蓋加熱コイル８と側面加熱コイル５と容器加熱コイル１１のそれぞれに漏洩磁界キャンセル用のコイルを必要とせず、外形を大きくすることなく、また、外蓋６と鍋２の側面と水容器９の加熱効率を下げずに、低周波漏洩磁界を低減することができる。
【００４４】
なお、本実施の形態では、側面加熱コイル５は高周波電流ＩＬ４が右回りに流れるように巻かれており、蓋加熱コイル８は高周波電流ＩＬ５が左回りに流れるように巻かれており、容器加熱コイル１１は高周波電流ＩＬ６が左回りに流れるように巻かれているが、まったく逆向きに高周波電流が流れるようにそれぞれの加熱コイルを逆向きに巻いてもよく、同様の作用、効果を得ることができる。
【産業上の利用可能性】
【００４５】
以上のように、本発明にかかる誘導加熱式炊飯器は、隣接する蓋加熱コイルと側面加熱コイルがそれぞれお互いの低周波漏洩磁界を打ち消しあい、また、側面加熱コイルと容器加熱コイルがそれぞれお互いの低周波漏洩磁界を打ち消しあうので、新たな漏洩磁界キャンセル用のコイルを必要とせず、外形を大きくすることなく、また外蓋と鍋側面と容器の加熱効率を下げずに、低周波漏洩磁界を低減することができるので、鍋と外蓋と蒸気を生成する容器を誘導加熱する誘導加熱式炊飯器として有用である。
【図面の簡単な説明】
【００４６】
【図１】本発明の実施の形態１における誘導加熱式炊飯器の断面図
【図２】同誘導加熱式炊飯器の一部ブロック化した要部回路図
【図３】本発明の実施の形態２における誘導加熱式炊飯器の一部ブロック化した要部回路図
【符号の説明】
【００４７】
１  炊飯器本体
２  鍋
５  側面加熱コイル
６  外蓋
８  蓋加熱コイル
９  水容器（容器）
１１  容器加熱コイル
１７  蓋胴容器インバータ回路（インバータ回路）
【図１】
2007075323.tif 000003
【図２】
2007075323.tif 000004
【図３】
2007075323.tif 000005